(57)【要約】【課題】断水により給水側が負圧状態になっても、湯水の逆流や高温の給湯水の供給を防止した貯湯式給湯装置を提供する。【解決手段】加熱手段２で高温に加熱した湯水を貯湯する貯湯タンク１と、該貯湯タンク１下部には給水管６を接続すると共に上部には給湯管７を接続し、更に前記給湯管７には高温の湯水と給水とを混合して、設定温度の給湯を行う給湯混合弁８を備えたもので、前記貯湯タンク１には断水等で給水側が負圧となった時、この負圧を防止する負圧防止手段１１と、給湯を禁止する負圧センサ１２を連通させたことにより、断水等による負圧は大気開放を行う負圧防止手段で防止され、又負圧センサで負圧を検知することで、給湯混合弁８を給湯側を０％とすることによって、給湯を禁止状態とするものであり、特殊な給湯状態の階下給湯や給湯加圧ポンプ使用でも、高温給湯を継続することがなく、火傷の危険を防止して常に安心して使用出来る。【選択図】  図１
2007120825.tif 000002
【特許請求の範囲】
【請求項１】
加熱手段で高温に加熱した湯水を貯湯する貯湯タンクと、該貯湯タンク下部には給水管を接続すると共に上部には給湯管を接続し、更に前記給湯管には高温の湯水と給水とを混合して、設定温度の給湯を行う給湯混合弁を備えたものに於いて、前記貯湯タンクには断水等で給水側が負圧となった時、この負圧を防止する負圧防止手段と、給湯を禁止する負圧センサを連通させた事を特徴とする貯湯式給湯装置。
【発明の詳細な説明】
【技術分野】
【０００１】
この発明は、ヒートポンプ回路や電気ヒーターを利用して、貯湯水を加熱して給湯等を行う貯湯式給湯装置に関するものである。
【背景技術】
【０００２】
従来よりこの種の給湯装置では、水道の断水等で給水管側が負圧になると、大気開放となる弁によって、この給水管側の負圧が防止され、給湯水や浴槽水の給水管への逆流を阻止して、安全な給湯装置を提供しようとするものであった。（例えば、特許文献１参照。）
【特許文献１】特開２００４−４４９６３号公報
【発明の開示】
【発明が解決しようとする課題】
【０００３】
ところでこの従来のものを、貯湯式の給湯装置に使用した場合、給水管側が負圧で大気開放状態となることで、貯湯タンク内の湯水が全て排水されてしまうし、この負圧防止の弁を貯湯タンク上部に連通すれば、貯湯水の排水は防止出来るが、給湯装置が特殊な使用状況、即ち給湯装置が給湯栓より上の階下給湯状態では、負圧を防止したとしても、ヘッド差分は給湯されてしまい、おまけに給湯混合弁の給水側も断水で給水の混合が出来ず、高温水の給湯が継続する危険があり、又３階給湯の為に給湯管に給湯加圧ポンプを備えたものでは、給湯中では負圧防止されても、高温水の給湯を継続してしまう不具合を有するものであった。
【課題を解決するための手段】
【０００４】
この発明はこの点に着目し、上記問題点を解決する為、特にその構成を、加熱手段で高温に加熱した湯水を貯湯する貯湯タンクと、該貯湯タンク下部には給水管を接続すると共に上部には給湯管を接続し、更に前記給湯管には高温の湯水と給水とを混合して、設定温度の給湯を行う給湯混合弁を備えたものに於いて、前記貯湯タンクには断水等で給水側が負圧となった時、この負圧を防止する負圧防止手段と、給湯を禁止する負圧センサを連通させたものである。
【発明の効果】
【０００５】
この発明によれば、断水等による負圧は大気開放を行う負圧防止手段で防止され、又負圧センサで負圧を検知することで、給湯混合弁を給湯側を０％とすることによって、給湯を禁止状態とするものであり、特殊な給湯状態の階下給湯や給湯加圧ポンプ使用でも、高温給湯を継続することがなく、火傷の危険を防止して常に安心して使用出来る貯湯式給湯装置を提供するものである。
【発明を実施するための最良の形態】
【０００６】
次に、本発明の一実施形態を図面に基づいて説明する。
１は温水を貯湯する貯湯タンク、２は温水を加熱する加熱手段としてのヒートポンプユニット、３は階下の給湯栓である。
【０００７】
４は貯湯タンク１とヒートポンプユニット２を循環可能に接続する加熱循環回路で、加熱循環ポンプ５を有し貯湯タンク１の下部に接続されたヒーポン往き管４ａ及び貯湯タンク１上部に接続されたヒーポン戻り管４ｂより構成され、貯湯タンク１下部の冷水をヒーポン往き管４ａを介してヒートポンプユニット２で加熱し、加熱された高温の温水をヒーポン戻り管４ｂで貯湯タンク１上部に戻して該貯湯タンク１内に温水を加熱貯湯するものである。
【０００８】
６は貯湯タンク１に水を供給する給水管、７は貯湯タンク１内の温水を給湯栓３より給湯する給湯管、８は給水管６からの給水と給湯管７からの温水を設定温度になるように混合する給湯混合弁、９は給湯混合弁８の下流に設けた給湯温度センサ、１０は給湯量をカウントする給湯流量カウンターである。
【０００９】
１１は給湯管７を介して貯湯タンク１上部に連通した負圧破損弁からなる負圧防止手段で、断水等により給水管６側が負圧状態となると、大気開放状態となってこの負圧状態を解消するものである。
【００１０】
１２は負圧防止手段１１の手前に備えられた圧力スイッチからなる負圧センサで、前記の負圧状態を検知することにより、マイコンからなる制御回路１３に信号が入り、給湯流量カウンター１０で給湯使用中かどうかを判断して、給湯中では出力側に接続した給湯混合弁８の弁開度を湯側０％に駆動して、給湯を停止させることで高温水の給湯を防止するものである。
【００１１】
次にこの一実施形態の貯湯式給湯装置の作動について説明する。
深夜電力等を利用してヒートポンプユニット２で加熱して貯湯タンク１内には高温水を貯湯するものであり、そしてこの貯湯タンク１内の湯水は、階下の給湯栓３を開栓することで、給湯混合弁８で設定温度の給湯として供給するものである。
【００１２】
更にこの状態で断水が発生した場合は、図３のフローチャートに示すように、給水管６側が負圧となることで、ステップ１４で負圧センサ１２がこの負圧を検知するが、これと同時にこの負圧状態は、負圧防止手段１１が大気開放することで解除され、貯湯タンク１内の湯水が水道に逆流することは防止される。
【００１３】
そして、ステップ１４でＹＥＳとなりステップ１５に進み、給湯流量カウンター１０が流量を検知しているかどうかを判断し、即ち給湯中ではＹＥＳでステップ１６に進んで、給湯混合弁８の弁開度を湯側０％になるよう駆動し、水頭圧（ヘッド差）で給湯が継続し給水停止により、高温水の給湯が行われることを給湯を停止することで防止するものであり、又給湯停止状態では、ＮＯでステップ１７に進み現状の弁開度を維持して次回の給湯を待つものである。
【００１４】
これにより、貯湯式の給湯装置でも給湯水が、水道に逆流することを阻止出来、更に給湯中の断水で高温の給湯が行われて、使用者が火傷する危険も確実に防止することが出来、常に安心して使用出来るものである。
【図面の簡単な説明】
【００１５】
【図１】この発明に係る貯湯式給湯装置の一実施形態の概略構成図。
【図２】同電気回路の要部ブロック図。
【図３】同要部のフローチャート。
【符号の説明】
【００１６】
１  貯湯タンク
２  ヒートポンプユニット（加熱手段）
６  給水管
７  給湯管
８  給湯混合弁
１１  負圧防止手段
１２  負圧センサ
【図１】
2007120825.tif 000003
【図２】
2007120825.tif 000004
【図３】
2007120825.tif 000005